(57)【特許請求の範囲】
【請求項１】
フレーム（１）に設けたブラケット（２）にリーフスプリング（３）の端部を枢着するスプリングピン（４）を抜け止め係止する抜け止め装置であって、頭部（４ａ）の外径より小径のプーラ接続部（４ｃ）を頭部頂面に突設したスプリングピン（４）と、該ピン（４）の軸方向と直交する平面に沿う係合部（６ａ）の下端からブラケット（２）の下面に沿って屈曲する取付部（６ｂ）を有する概略Ｌ字断面を呈するストッパ（６）を備え、前記係合部（６ａ）の上縁から切り込み形成した接続部（４ｃ）の外径と略同一幅の逃がし溝（６ｃ）から接続部（４ｃ）を突出露呈させつつ係合部（６ａ）の裏面を頭部（４ａ）の頂面に当接させた状態でストッパ（６）の取付部（６ｂ）をブラケット（２）の下面に下方から当接させてねじ止め固定したことを特徴とするスプリングピンの抜け止め装置。
【発明の詳細な説明】
【技術分野】
【０００１】
本発明は、フレームに設けたブラケットにリーフスプリングの端部を枢着するスプリングピンの抜け止め装置に関するものである。
【背景技術】
【０００２】
フレームに設けたブラケットであるスプリングブラケットあるいはシャックルにリーフスプリングの端部を枢着するスプリングピンの抜け止めを行うために、従来では特許文献１あるいは特許文献２に見られるような回り止め部材を用いることにより、スプリングピン(ボルト)あるいはスプリングピンを締め付け固定するナットを回り止め係合させることが多かった。
【０００３】
ところが、上記従来例のように回り止め部材を用いた場合は、スプリングピンあるいはナットの回転を阻止することができるものの、緩んだスプリングピンの脱落を防止することができないために、安全性をより高くする観点からも何らかの方策が要請されている。
【特許文献１】特開平８−１４２４４号公報
【特許文献２】特開２００２−３９１４１号公報
【発明の開示】
【発明が解決しようとする課題】
【０００４】
解決しようとする問題点は、従来の回り止め手段においては、スプリングピンあるいはナットなどに緩みが生じた場合は、スプリングピンの脱落を予防することができない点である。
【課題を解決するための手段】
【０００５】
本発明は、フレームに設けたブラケットにリーフスプリングの端部を枢着するスプリングピンを抜け止め係止する抜け止め装置において、頭部の外径より小径のプーラ接続部を頭部頂面に突設したスプリングピンと、該ピンの軸方向と直交する平面に沿う係合部の下端からブラケットの下面に沿って屈曲する取付部を有する概略Ｌ字断面を呈するストッパを備えている。ストッパの係合部に上縁から切り込み形成した接続部の外径と略同一幅の逃がし溝から接続部を突出露呈させつつ該係合部の裏面を頭部の頂面に当接させた状態で取付部をブラケットの下面に下方から当接させたうえで、この取付部をブラケットにねじ止め固定したことを最も主要な特徴としている。
【発明の効果】
【０００６】
本発明の抜け止め装置によれば、スプリングピンに緩みが生じた場合においても、ストッパの係合部がスプリングピンの頭部頂面に軸方向外側から当接しているために、万一にもスプリングピンが抜け落ちることがない。また、スプリングピンの頭部頂面に突設した接続部を逃がし溝から突出させて係合部の外側に突出(露呈)させているために、この突部に触れることでスプリングピンに緩みが発生しているか否かを即座に把握することができるために、緩みの確認作業性が損なわれることもない。さらに、ストッパの着脱作業をスペース的に余裕のある下方から行うことができるために、ストッパの取り付けによって抜け止め作業性が悪化することもない、という利点がある。
【発明を実施するための最良の形態】
【０００７】
図１は本発明に係る抜け止め装置の一例を示す組立状態の斜視図、図２は同縦断面図、図３は図１に示したスプリングピンの側面図、図４は図１に示したストッパの斜視図である。
【０００８】
これらの図において、フレーム１の外側面に固定したスプリングブラケット２にリーフスプリング３の端部を枢着するスプリングピン４は、図示しない締付工具を係合させるべく正面から見て正六角形の角柱状に形成した頭部４ａと、頭部の４ａの裏面中央部から延びる軸部４ｂおよび頭部４ａの頂面中央部に突設した接続部４ｃを備え、軸部４ｂの先端に形成したねじ部４ｄをスプリングブラケット２に図示しないプレートで包持させたナット５に螺合させることにより、スプリングブラケット２にリーフスプリング３の端部を枢着するものである。４ｅは頭部４ａの基部に一体形成した座部、３ａはリーフスプリング３の端部に形成した目玉部、３ｂはリーフスプリング３を包持するクリップ、３ｃは目玉部３ｂに挿入したブッシュである。
【０００９】
前記接続部４ｃは、頭部４ａの外径より小径の円柱状に形成されており、その外周面にねじ山を形成することにより、図示しないプーラのねじ穴に接続部４ｃをねじ込み連結してスプリングピン４の抜き取り作業性を改善するためのものである。
【００１０】
前記スプリングブラケット２の下面にストッパ６をボルト７で締め付け固定している。ストッパ６は、ピン４の軸線と直交する平面に沿う係合部６ａと、この係合部６ａの下端からブラケット２の下面に沿って屈曲する取付部６ｂを有して概略Ｌ字状を呈している。また、ストッパ６の係合部６ａにはスプリングピン４に設けた接続部４ｃの外径と略同一幅の逃がし溝６ｃをその上縁から切り込み形成することにより、係合部６ａの裏面をスプリングピン４の頭部４ａの表面に重合させたときに接続部４ｃが逃がし溝６ｃから突出して露呈されるようにしている。６ｄはストッパ６の取付部６ｂに設けたボルト穴である。
【００１１】
上記のような構成になるスプリングピン４を用いてリーフスプリング３の端部をスプリングブラケット２に枢着するには、リーフスプリング３の目玉部３ａに挿入したブッシュ３ｃをスプリングブラケット２に位置あわせしてスプリングピン４を挿入する。次に、挿入したスプリングピン３の軸部４ｂの先端に形成したねじ部４ｄをナット５に螺合させてこれを締め付けたうえで、必要に応じて適宜図示しない回り止め処置を行う。
【００１２】
次いで、ストッパ６の係合部６ａに形成した逃がし溝６ｃに接合部４ｃを合わせて接続部４ｃを係合部６ａから露出させた状態で係合部６ａをスプリングピン４の頭部４ａの頂面に重ね合わせつつ、ストッパ６の取付部６ｂをブラケット２の下面に重合し、ボルト７を締め込んでストッパ６をブラケット２に締め付け固定する。
【００１３】
すると、ストッパ６の係合部６ａがスプリングピン４の頭部４ａの頂面に軸方向外側から当接保持されるために、スプリングピン４に緩みが生じたとしても、万一にもスプリングピン４が抜け落ちることがない。また、スプリングピン４の頭部４ａの頂面に突設した接続部４ｃを逃がし溝から突出させて係合部６ａの外側に露呈させているために、この接続部４ｃに触れることでスプリングピン４に緩みが発生しているか否かを即座に把握することができるために、緩みの確認作業性が損なわれることもない。
【００１４】
また、ストッパ６の着脱作業をスペース的に余裕のある下方から行うことができるために、ストッパの取り付けによって抜け止め作業性が悪化することがなく、下方にしか作業スペースを確保し難い場合であってもスプリングピン４を容易に抜け止め係止することができる。
【００１５】
なお、上記実施形態にあっては、フレームに固定したブラケットの一例としてのスプリングブラケットにリーフスプリングの端部を枢着するスプリングピンの抜け止め装置に本発明を適用しているが、例えばシャックルのような、フレームに枢着されたブラケットにリーフスプリングの端部を枢着するスプリングピンにも本発明に係る抜け止め装置を適用することもできる。
【図面の簡単な説明】
【００１６】
【図１】本発明に係る抜け止め装置の一例を示す組立状態の斜視図である。
【図２】図１の縦断面図である。
【図３】図１に示したスプリングピンの側面図である。
【図４】図１に示したストッパの斜視図である。
【符号の説明】
【００１７】
１    フレーム
２    ブラケット
３    リーフスプリング
３ａ  目玉部
３ｂ  クリップ
３ｃ  ブッシュ
４    スプリングピン
４ａ  頭部
４ｂ  軸部
４ｃ  接続部
４ｄ  ねじ部
５    ナット
６    ストッパ
６ａ  係合部
６ｂ  取付部
６ｃ  逃がし溝
６ｄ  ボルト穴
７    ボルト
【図１】
0004557308.tif 000002
【図２】
0004557308.tif 000003
【図３】
0004557308.tif 000004
【図４】
0004557308.tif 000005